(57)【要約】【課題】  コンタクトガラス上での原稿の確実な位置決めを確保しつつ原稿の浮き上がりを確実に防止し得るようにする。【解決手段】  複写機１０の装置本体２０の上面に設けられたコンタクトガラス２２上の原稿Ｐを押えるものであり、装置本体２０に設けられた蝶板部材２５のヒンジ軸２５３回りに回動するカバー本体４０と、カバー本体４０の裏面側に設けられ原稿Ｐをコンタクトガラス２２上に弾性的に押し付ける押付け部材５０とが備えられ、押付け部材５０は、平面寸法が第１スケール２４１と第２スケール２４２とを備えてなるスケール２４の内寸法より小さく寸法設定された押付け部材本体５１と、この押付け部材本体５１にコンタクトガラス２２へ向けて弾性力を付与する押付けばね５３とを備えて構成され、カバー本体４０が閉じられることにより押付け部材本体５１をカバー本体４０に対して移動させる移動構造６０が設けられている。【選択図】      図１
2006101411.tif 000002
【特許請求の範囲】
【請求項１】
読み取り原稿が載置されるコンタクトガラスの周縁部に、該コンタクトガラスより突出したスケールが備えられた原稿読取部を有する所定の装置本体の前記原稿を押える原稿読取用カバー装置において、
前記装置本体に開閉自在に取り付けられたカバー本体と、
前記カバー本体の裏面側に設けられ前記原稿をコンタクトガラス上に弾性的に押し付ける押付け部材とが備えられ、
前記押付け部材は、その縁部が前記コンタクトガラスのスケールの縁部と当接可能とされた押付け部材本体と、この押付け部材本体にコンタクトガラスへ向けて弾性力を付与する弾性部材とを備え、
前記カバー本体が閉じられることにより前記押付け部材本体をカバー本体に対して移動させる移動構造が設けられていることを特徴とする原稿読取用カバー装置。
【請求項２】
前記移動構造は、原稿載置の基準位置であるコンタクトガラスの所定の隅部に向けて前記押付け部材本体を斜めに移動させるものであることを特徴とする請求項１記載の原稿読取用カバー装置。
【請求項３】
前記押付け部材本体は、前記カバー本体が閉じられることによる前記コンタクトガラスとの干渉で前記弾性部材の弾性力に抗してカバー本体内へ没入した没入姿勢と、前記カバー本体が開かれることによる前記干渉の解消で前記弾性部材の弾性力によりカバー本体から突出した突出姿勢との間で姿勢変更可能に構成され、
前記移動構造は、前記押付け部材本体をカバー本体に対し前記隅部に向けて付勢する付勢部材と、この付勢部材の付勢力に抗して前記押付け部材本体の移動を規制するストッパとを備え、
前記ストッパは、前記押付け部材本体が没入姿勢に姿勢設定されることにより前記規制が解除されるように形状設定されていることを特徴とする請求項１または２記載の原稿読取用カバー装置。
【請求項４】
原稿から読み取られた画像情報に基づき用紙に画像を記録する画像形成装置であって、請求項１乃至３のいずれかに記載の原稿読取用カバー装置が適用されていることを特徴とする画像形成装置。
【発明の詳細な説明】
【技術分野】
【０００１】
本発明は、複写機やファクシミリ装置等の画像形成装置に適用される原稿読取用カバー装置およびこの装置を備えた画像形成装置に関するものである。
【背景技術】
【０００２】
従来、特許文献１に記載されているような画像形成装置に適用される原稿読取用のカバー装置が知られている。このカバー装置は、画像形成装置の装置本体上面に設けられたコンタクトガラス上に原稿面を下にして載置された原稿を押えるものであり、押圧面は平板状を呈したスポンジ材などからなる弾性体によって形成されている。原稿は、かかる弾性体によって押えられることにより、コンタクトガラスからの浮き上がりが防止され、これによってコンタクトガラスを通した原稿面の安定した読み取りが行われる。
【０００３】
ところで、カバー装置は、通常、一縁部に設けられた蝶板を介して蝶板軸回りに回動自在に軸支されている一方、コンタクトガラスの周囲には長さが目盛られた基準スケールが装着されているため、カバー装置を閉止すると、前記弾性体がスケールと干渉してこの部分がコンタクトガラスから浮いた状態になってスケール近辺の原稿がコンタクトガラスと密着しなくなり、この部分の原稿読み取りに不具合が生じる。これを回避するべく弾性体を小さくしてスケールと干渉しないようにすると、弾性体とスケールとの間に当初から隙間が形成された状態になり前記不具合は解消されない。
【０００４】
そこで、特許文献２には、カバー装置の閉止中に原稿押えの蝶板側の縁部が蝶板側のスケールに当接するとともに、以後の閉止操作の継続で前記当接状態を維持しながら原稿押えがカバー装置の本体に対して相対的に移動するものが提案されている。かかる構成によれば、コンタクトガラス上の原稿の縁部を確実に浮き上がらないようにすることができる。
【０００５】
また、特許文献３には、弾性体の平面寸法をコンタクトガラスのそれより大きくした上で、カバー装置の閉止動作に連動してスケールをコンタクトガラスの上面より下方位置に引っ込めるように構成したものが提案されている。こうすることで、原稿はその全面が弾性体に押えられ、コンタクトガラスから浮き上がる部分が存在しなくなる。
【特許文献１】特許第３５２０４７８号公報
【特許文献２】特開２０００−２９２５１号公報
【特許文献３】特開２００２−１９６４３６号公報
【発明の開示】
【発明が解決しようとする課題】
【０００６】
しかしながら、特許文献２に記載のものは、カバー装置として自動給紙装置を備えたものが適用され、原稿押えとしての機能を有する原稿搬送ベルトを移動させるものであるため構造が複雑であり、その分部品コストおよび組み付けコストが嵩むという不都合が存在する。
【０００７】
また、特許文献３のものは、コンタクトガラス上の原稿がスケールの低下によりコンタクトガラス上で全くフリーになるため、カバー装置を勢いよく閉じたときなど原稿が風圧でスケールを越えて位置ずれしてしまうことがあり、原稿をコンタクトガラス上で確実に位置決めすることが困難であるという不都合が存在する。
【０００８】
本発明は、このような状況に鑑みなされたものであって、コンタクトガラス上での原稿の確実な位置決めを確保しつつ原稿の浮き上がりを確実に防止し得る原稿読取用カバー装置およびこの装置を備えた画像形成装置を提供することを目的としている。
【課題を解決するための手段】
【０００９】
請求項１記載の発明は、読み取り原稿が載置されるコンタクトガラスの周縁部に、該コンタクトガラスより突出したスケールが備えられた原稿読取部を有する所定の装置本体の前記原稿を押える原稿読取用カバー装置において、前記装置本体に開閉自在に取り付けられたカバー本体と、前記カバー本体の裏面側に設けられ前記原稿をコンタクトガラス上に弾性的に押し付ける押付け部材とが備えられ、前記押付け部材は、その縁部が前記コンタクトガラスのスケールの縁部と当接可能とされた押付け部材本体と、この押付け部材本体にコンタクトガラスへ向けて弾性力を付与する弾性部材とを備え、前記カバー本体が閉じられることにより前記押付け部材本体をカバー本体に対して移動させる移動構造が設けられていることを特徴とする原稿読取用カバー装置である。
【００１０】
かかる構成によれば、原稿をコンタクトガラス上に載置した状態で、カバー本体を閉じることにより、コンタクトガラス上の原稿は、カバー本体に設けられた弾性部材の弾性力が付与された状態の押付け部材本体によってコンタクトガラス上に押し付けられ、これによって原稿面がコンタクトガラスに密着した状態になる。
【００１１】
そして、カバー本体が閉じられるに際し、押付け部材のヒンジ軸側の縁部がコンタクトガラスに当接した以降は、押付け部材が移動構造の作用によりカバー本体に対し移動するため、この移動方向をコンタクトガラスの縁部と押付け部材本体の縁部との間に形成される隙間を塞ぐ方向に設定しておくことにより、原稿読取用カバー装置が閉止された状態でたとえ原稿の縁部とコンタクトガラスの縁部との間に隙間が存在していても、この隙間は押付け部材本体によって塞がれた状態になるため、隙間の存在でこの部分が黒色として認識されて読み取られるような不都合の発生が防止される。
【００１２】
また、カバー本体を閉止することにより、押付け部材本体がコンタクトガラスより上方に突出したスケールの縁部に当止するため、これによってコンタクトガラスの縁部と押付け部材本体の縁部との間に形成される隙間をなくした状態での押付け部材本体の位置決めが行われる。
【００１３】
請求項２記載の発明は、請求項１記載の発明において、前記移動構造は、原稿載置の基準位置であるコンタクトガラスの所定の隅部に向けて前記押付け部材本体を斜めに移動させるものであることを特徴とするものである。
【００１４】
原稿の一方の縁部と、この縁部に直交した他方の縁部との双方がコンタクトガラスの対応した縁部からそれぞれ離間して２個所に隙間が形成されていても、これら２個所の隙間は、押付け部材本体をコンタクトガラスの隅部に向けて斜めに移動させるように構成された移動構造の作用でいずれも押付け部材本体によって塞がれる。
【００１５】
請求項３記載の発明は、請求項１または２記載の記載の発明において、前記押付け部材本体は、前記カバー本体が閉じられることによる前記コンタクトガラスとの干渉で前記弾性部材の弾性力に抗してカバー本体内へ没入した没入姿勢と、前記カバー本体が開かれることによる前記干渉の解消で前記弾性部材の弾性力によりカバー本体から突出した突出姿勢との間で姿勢変更可能に構成され、前記移動構造は、前記押付け部材本体をカバー本体に対し前記コンタクトガラスの前記隅部に向けて付勢する付勢部材と、この付勢部材の付勢力に抗して前記押付け部材本体の移動を規制するストッパとを備え、前記ストッパは、前記押付け部材本体が没入姿勢に姿勢設定されることにより前記規制が解除されるように形状設定されていることを特徴とするものである。
【００１６】
かかる構成によれば、コンタクトガラス上に原稿を載置した状態で、カバー本体を閉止することにより、押付け部材本体は、コンタクトガラスと干渉することで弾性部材の弾性力に抗してカバー本体内に没入する没入姿勢に姿勢設定され、これによって原稿をコンタクトガラスに押し付けた状態になる一方、カバー本体を開放することにより、押付け部材本体は、弾性部材の弾性力によってカバー本体から外部に突出した突出姿勢に姿勢変更する。
【００１７】
また、カバー本体には、弾性部材の他に、押付け部材本体をカバー本体に対しコンタクトガラスの隅部へ向けて付勢する付勢部材が設けられているとともに、この付勢部材の付勢力に抗して前記押付け部材本体の移動を規制するストッパを備え、ストッパは、前記押付け部材本体が没入姿勢に姿勢設定されることにより前記規制が解除されるように形状設定されているため、原稿をコンタクトガラス上に載置した状態で、カバー本体を閉止することにより、押付け部材本体は、ストッパによる規制が外れて付勢部材の付勢力によりコンタクトガラスの端部に向けて移動し、これによって往々にして浮いた状態になり易いヒンジ側の原稿の縁部が押付け部材本体によって確実にコンタクトガラスに押し付けられた状態になる。
【００１８】
請求項４記載の発明は、原稿から読み取られた画像情報に基づき用紙に画像を記録する画像形成装置であって、請求項１乃至３のいずれかに記載の原稿読取用カバー装置が適用されていることを特徴とする画像形成装置である。
【００１９】
かかる構成によれば、画像形成装置は、請求項１乃至３のいずれかに記載された原稿読取りようカバー装置が有する作用効果を備えたものになる。
【発明の効果】
【００２０】
請求項１記載の発明によれば、カバー本体が閉じられるに際し、押付け部材のヒンジ軸側の縁部がコンタクトガラスに当接した以降は、押付け部材が移動構造の作用によりカバー本体に対し移動するため、この移動方向をコンタクトガラスの縁部と押付け部材本体の縁部との間に形成される隙間を塞ぐ方向に設定しておくことにより、原稿読取用カバー装置が閉止された状態でたとえ原稿の縁部とコンタクトガラスの縁部との間に隙間が存在していても、この隙間は押付け部材本体によって塞がれた状態になるため、隙間の存在でこの部分が黒色として認識されて読み取られるような不都合の発生を防止することができ、用紙に対して期待に外れない画像を記録することができる。
【００２１】
請求項２記載の発明によれば、前記移動構造は、前記押付け部材本体を横方向および縦方向の双方に移動させため、原稿の一方の縁部と、この縁部に直交した他方の縁部との双方がコンタクトガラスの対応した縁部からそれぞれ離間して２個所に隙間が形成されていても、これら２個所の隙間は、押付け部材本体を原稿載置の基準位置であるコンタクトガラスの所定の隅部に向けて移動させるように構成された移動構造の作用でいずれも押付け部材本体によって塞ぐことができ、隙間の存在による転写不良を確実になくすことができる。
【００２２】
請求項３記載の発明によれば、カバー本体には、弾性部材の他に、押付け部材本体をカバー本体に対しコンタクトガラスの隅部に向けて付勢する付勢部材が設けられているとともに、この付勢部材の付勢力に抗して前記押付け部材本体の移動を規制するストッパを備え、ストッパは、前記押付け部材本体が没入姿勢に姿勢設定されることにより前記規制が解除されるように形状設定されているため、原稿をコンタクトガラス上に載置した状態で、カバー本体を閉止することにより、押付け部材本体は、ストッパによる規制が外れて付勢部材の付勢力によりコンタクトガラスの端部に向けて移動し、これによって往々にして浮いた状態になり易いヒンジ側の原稿の縁部が押付け部材本体によって確実にコンタクトガラスに押し付けられ、原稿の縁部が浮き上がったことによる異常な転写処理をなくすことができる。
【００２３】
請求項４記載の発明によれば、画像形成装置を、請求項１乃至３のいずれかに記載された原稿読取り用カバー装置が有する作用効果を備えたものにすることができる。
【発明を実施するための最良の形態】
【００２４】
図１は、本発明に係る原稿読取用のカバー装置が適用された複写機の一実施形態を示す斜視図であり、（イ）は、カバー装置が閉止された状態、（ロ）は、カバー装置が開放された状態をそれぞれ示している。なお、図１においてＸ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００２５】
図１に示すように、複写機１０は、直方体状の箱形を呈した装置本体２０と、この装置本体２０の上面に付設された原稿読取用の原稿読取用カバー装置３０とを備えた基本構成を有している。装置本体２０の上面板２１の略中央位置には角窓が設けられ、この角窓にコンタクトガラス２２（図１の（ロ））が嵌め込まれている。そして、原稿Ｐをコンタクトガラス２２上に載置し、当該原稿Ｐを原稿読取用カバー装置３０で押えた状態で原稿面の画像がコンタクトガラス２２を介して読み取られ、この画像が所定の用紙に転写されるようになっている。
【００２６】
前記装置本体２０には、コンタクトガラス２２を介して原稿Ｐの画像を読み取る光学系や、この光学系が読み取った画像をトナー像として用紙に転写する感光体ドラム等を備えた画像形成部、この画像形成部でトナー像の転写された用紙に当該トナー像の定着処理を施す定着部等が内装され、用紙貯留部から給紙された用紙は、所定の搬送系を搬送されつつ転写処理および定着処理が施された後、外部に排出されるようになっている。
【００２７】
上面板２１上におけるコンタクトガラス２２の前方位置には操作部２３が設けられ、この操作部２３にスタートキーやテンキー等の各種の操作キーが設けられているとともに、液晶やＬＥＤ（ｌｉｇｈｔ  ｅｍｉｔｔｉｎｇ  ｄｉｏｄｅ）等を用いた表示部が設けられ、オペレータは、操作キーの操作で複写処理についての各種の指示を入力するとともに、表示部の表示によって処理状況を認識し得るようにになっている。
【００２８】
前記コンタクトガラス２２には、当該コンタクトガラス２２上に載置される原稿Ｐの位置決めを行うスケール２４が設けられている。このスケール２４は、本実施形態においては、コンタクトガラス２２の後方縁部に設けられた第１スケール２４１と、コンタクトガラス２２の左方縁部に設けられた第２スケール２４２とからなっている。第１および第２スケール２４１，２４２は、いずれもコンタクトガラス２２の表面から若干上方に突出した状態で設けられ、コンタクトガラス２２上の原稿Ｐの縁部をこれら第１および第２スケール２４１，２４２のいずれか一方または双方に当接させることによって原稿Ｐの位置決めが容易に行われるようになっている。
【００２９】
特に第１スケール２４１には、原稿Ｐのサイズに対応するように「Ｂ５」、「Ａ４」、「Ｂ４」、「Ａ３」等の目盛りが設けられ、原稿Ｐの縁部をこの目盛りに沿わせるように第１スケール２４１へ当接させることでコンタクトガラス２２上における原稿Ｐの位置決めが確実に行われるようになされている。
【００３０】
前記原稿読取用カバー装置３０は、コンタクトガラス２２上に載置された原稿Ｐを押えて位置決め状態を安定させるものであり、平面寸法がコンタクトガラス２２の平面免寸法より大きい扁平な直方体状を呈している。かかる原稿読取用カバー装置３０は、装置本体２０の上面板２１の後方縁部に幅方向一対で設けられた蝶板部材２５を介して装置本体２０に連結されている。
【００３１】
蝶板部材２５は、ねじ止めその他で上面板２１に固定された正面視でＵ字状を呈するヒンジ受け２５１と、このヒンジ受け２５１に対応してねじ止めその他で原稿読取用カバー装置３０に固定されたヒンジ２５２と、このヒンジ２５２が前記ヒンジ受け２５１に挟持された状態で両者に貫通した幅方向に延びるヒンジ軸２５３とからなり、ヒンジ２５２は、ヒンジ軸２５３回りに正逆回動自在に軸支されている。そして、ヒンジ２５２に固定された原稿読取用カバー装置３０は、ヒンジ軸２５３回りに正逆回動することで、図１の（イ）に示す、コンタクトガラス２２を閉止した閉止姿勢と、図１の（ロ）に示すコンタクトガラス２２を開放した開放姿勢との間で姿勢変更可能になっている。
【００３２】
図２は、原稿読取用カバー装置３０の一実施形態を示す一部切り欠き分解斜視図であり、図３は、その一部切り欠き組み立て斜視図である。なお、図２および図３におけるＸおよびＹによる方向表示は図１の場合と同様である。これらの図に示すように、原稿読取用カバー装置３０は、下面が開放状態のカバー本体４０と、原稿Ｐをコンタクトガラス２２へ押し付けるためにカバー本体４０に出没自在に内装される押付け部材５０と、カバー本体４０の開閉動作に連動して押付け部材５０を所定の方向に正逆移動させる移動構造６０とを備えた基本構成を有している。
【００３３】
前記カバー本体４０は、平面視で長方形状の周壁４１と、この周壁４１の上面開口を覆った天板４２と、周壁４１の下面開口（装着窓４３１）を覆った額縁板４３とを備えている。周壁４１の前面には、原稿読取用カバー装置３０を開放するときに手を差し入れる取っ手凹部４１１が設けられ、この取っ手凹部４１１に手を差し入れることにより原稿読取用カバー装置３０の開放操作が容易に行い得るようになっている。
【００３４】
前記額縁板４３は、前記押付け部材５０を出没自在に挿通させるものであり、中央部にコンタクトガラス２２より若干小さい長方形状を呈した装着窓４３１が設けられている。前記押付け部材５０は、下部がこの装着窓４３１から所定寸法だけ下方へ向けて突出した状態でカバー本体４０に嵌め込まれている。
【００３５】
前記天板４２には、裏面側から下方に向けて垂下された衝立板４４と、押付け部材５０を支持する支持アングル材４５とが設けられている。
【００３６】
前記衝立板４４は、移動構造６０を支持するためのものであり、天板４２における左縁部の前後方向略中央部と、同後縁部の幅方向略中央部とを結ぶ直線に沿うように設けられている。かかる衝立板４４は、その両側縁部が前記装着窓４３１の縁部から離間するように長さ寸法が設定され、これによって衝立板４４の各側縁部と額縁板４３の装着窓４３１側の内縁部との間に押付け部材５０の側板（後述する縦側板５１１および横側板５１２）を通過させるための隙間４４１がそれぞれ形成されている。
【００３７】
前記支持アングル材４５は、押付け部材５０の一隅部（衝立板４４側の隅部と対角位置にある隅部）近傍を支持するためのものであり、天板４２の前方縁部と右方縁部とが交わる部分の近傍で前記衝立板４４と対向した状態で天板４２から垂下されている。かかる支持アングル材４５は、横方向に長尺の垂直板４５１と、この垂直板４５１の上縁部から前記隅部へ向けて延設された上部水平板４５２と、同下縁部から上部水平板４５２と反対方向に向けて延設された下部水平板４５３とからなり、上部水平板４５２を天板４２の裏面側にねじ止めその他で固定されることでカバー本体４０に装着されている。かかる支持アングル材４５の各側縁部とカバー本体４０の周壁４１との間にも、押付け部材５０の側壁（後述する縦側板５１１および横側板５１２）を通過させるための隙間４５４がそれぞれ形成されている。
【００３８】
前記押付け部材５０は、平面視で長方形状の枡形を呈した押付け部材本体５１と、この押付け部材本体５１の下面の開口を閉止した原稿押えマット５２と、押付け部材本体５１に弾性力を付与する一対の押付けばね（弾性部材）５３とを備えて構成されている。前記押付け部材本体５１は、前後方向に延びる幅方向一対の縦側板５１１と、左右方向に延びる前後方向一対の横側板５１２との側縁部同士が接合されることにより枡形が形成されている。
【００３９】
前記押付け部材本体５１は、平面視の寸法が前記カバー本体４０の装着窓４３１の平面寸法より僅かに小さく寸法設定され、これによって額縁板４３の下から装着窓４３１を介してカバー本体４０内に出没自在に装着し得るようになっている。この装着に際し、側板５１の縦横の側板５１１，５１２が周壁４１と衝立板４４および支持アングル材４５との間の隙間４４１，４５１に嵌め込まれることにより、側板５１は、その上部がカバー本体４０内に没入し得るようになっている。
【００４０】
前記押付けばね５３は、押付け部材本体５１の後述する第１および第２筋交材６２，６３を下方に向けて押圧するものであり、カバー本体４０の天板４２の裏面側における第１および第２筋交材６２，６３に対応した位置に固定されている。そして、カバー本体４０内に嵌め込まれた押付け部材本体５１は、第１および第２筋交材６２，６３の押圧力により装着窓４３１を介して下方に向けて突出するようになっている。かかる押付けばね５３は、板ばねによって形成され、基端部５３１がカバー本体４０の天板４２の裏面側にねじ止めその他で固定されている一方、先端部５３２が基端部５３１から下方に向かって所定角度折り曲げられている。かかる押付けばね５３の先端部５３２が第１および第２筋交材６２，６３を押圧するようになっている。
【００４１】
前記原稿押えマット５２は、カバー本体４０が閉止姿勢に姿勢設定された状態で、コンタクトガラス２２上に載置された原稿Ｐに面接触で当接し、前記押付けばね５３の弾性力で当該原稿Ｐをコンタクトガラス２２に押し付けるものであり、例えば発泡性合成樹脂製の白色のシート体によって形成されている。コンタクトガラス２２上の原稿Ｐは、かかる原稿押えマット５２によって押えられることにより位置ずれしないようになされている。
【００４２】
前記移動構造６０は、前記衝立板４４とカバー本体４０の左方後部の隅部（基準隅部４６）側で対向配置された天板４２と一体のストッパ６１と、押付け部材本体５１が装着窓４３１を介してカバー本体４０内に嵌め込まれた状態で衝立板４４とストッパ６１との間に嵌め込まれる前記押付け部材本体５１と一体の第１筋交材６２と、右方の縦側板５１１と前方の横側板５１２とが交差する隅部側に第１筋交材６２と平行配置された押付け部材本体５１と一体の第２筋交材６３と、衝立板４４に固定された状態で前記ストッパ６１を基準隅部４６へ向けて付勢する衝立板４４の長手方向一対の付勢ばね（付勢部材）６４とを備えて構成されている。
【００４３】
図４は、ストッパ６１の一実施形態を示す斜視図であり、第１筋交材６２が当接された状態を示している。この図に示すように、ストッパ６１は側面視で階段状に形成され、下部水平板６１１と、この下部水平板６１１の基準隅部４６（図２）側の端縁から上方に向かって突設された第１筋交材６２が当止されるストップ板６１２と、このストップ板６１２の上縁部から基準隅部４６へ向かって突設された中間水平板６１３と、この中間水平板６１３の基準隅部４６側の縁部から立設された垂直板６１４と、この垂直板６１４の上縁部から基準隅部４６へ向かって延設された上部水平板６１５とを備えている。
【００４４】
前記上部水平板６１５には所定個数のねじ孔６１６が螺設されている一方、カバー本体４０の天板４２にはねじ孔６１６に対応した貫通孔４２１が穿設され、ねじＳを貫通孔４２１を介してねじ孔６１６に螺着し綴結することによりストッパ６１がカバー本体４０の天板４２に固定されるようになっている。
【００４５】
また、前記ストップ板６１２の上縁部には、前方（基準隅部４６と反対側）に向かって先下がりに傾斜した傾斜縁面６１７が設けられ、前記第１筋交材６２は、この傾斜縁面６１７に誘導されることにより下部水平板６１１と中間水平板６１３との間で容易に位置変更し得るようになっている。
【００４６】
前記第１筋交材６２は、押付け部材本体５１の左方の縦側板５１１と、後方の横側板５１２との間に架設された第１水平板６２１と、この第１水平板６２１の前縁部から下方に向けて延設された前垂れ板６２２と、第１水平板６２１の後縁部から上方に向かって突設された立設板６２３とからなっている。前記第１水平板６２１は、上縁部が縦横の側板５１１，５１２の上縁部と面一状態とされ、これによって立設板６２３は、押付け部材本体５１から上方に向けて突出した状態になっている。
【００４７】
また、第１水平板６２１の前後幅寸法は、ストッパ６１の下部水平板６１１の前後幅寸法とストップ板６１２の厚み寸法とを加えた寸法より大きく設定されている。前記付勢ばね６４は、このような第１筋交材６２の立設板６２３を基準隅部４６に向かって付勢し得るように形状設定および寸法設定された状態で前記カバー本体４０の衝立板４４（図２）に固定されている。かかる付勢ばね６４は、付勢力が前記押付けばね５３の弾性力に比べて相当弱く設定されている。したがって、押付け部材本体５１がカバー本体４０に対してフリーな状態では、押付けばね５３の弾性力が付勢ばね６４の付勢力をしのぎ、結果として押付けばね５３の弾性力が押付け部材本体５１に作用するようになっている。
【００４８】
前記第２筋交材６３は、図２に示すように、押付け部材本体５１の前側の横側板５１２と右側の縦側板５１１との間に架設された第２水平板６３１と、この第２水平板６３１の基準隅部４６側の縁部から垂下された後垂れ板６３２とからなっている。第１水平板６２１は、上面が縦横の側板５１１，５１２の上面と面一状態になっている。
【００４９】
かかる第２筋交材６３は、押付け部材５０がカバー本体４０に装着された状態で第２水平板６３１が、図６に示すように、カバー本体４０の支持アングル材４５の下部水平板４５３に上方で対向するように設置位置が設定されている。
【００５０】
図５は、ストッパ６１と第１筋交材６２との位置関係を説明するための図４のＡ−Ａ線断面図であり、（イ）は、押付け部材５０がコンタクトガラス２２から離間した状態、（ロ）は、押付け部材５０がコンタクトガラス２２に当接した状態をそれぞれ示している。
【００５１】
まず、図５の（イ）に示すように、押付け部材５０がコンタクトガラス２２から離間した状態で、押付け部材本体５１に固定された第１筋交材６２は、第１水平板６２１がカバー本体４０の押付けばね５３によって下方に向けて押圧されるとともに、前垂れ板６２２がカバー本体４０の衝立板４４に固定された付勢ばね６４によって後方（図５の右方）へ向けて付勢されることにより、第１筋交材６２の第１水平板６２１がストッパ６１の下部水平板６１１に当止するとともに、第１筋交材６２の立設板６２３がストッパ６１のストップ板６１２に当止した状態になっている。
【００５２】
そしてこの状態で、押付け部材本体５１は、少なくとも原稿押えマット５２がカバー本体４０の周壁４１の下縁部より下方に位置するように上下幅寸法が設定されているとともに、第１水平板６２１は、前後幅寸法（図５における左右方向の寸法）が下部水平板６１１の前後幅寸法より大きめに設定され、これによって立設板６２３がストップ板６１２に当止した状態で、図５の（イ）に示すように、前垂れ板６２２と下部水平板６１１の前縁部との間に寸法ｄの隙間が形成されるようになっている。また、第１筋交材６２の立設板６２３の上下寸法は、ストッパ６１の垂直板６１４の上下寸法より短く寸法設定されている。
【００５３】
したがって、図５の（ロ）に示すように、カバー本体４０に下方へ向かう外力が加えられることにより押付け部材本体５１がコンタクトガラス２２を押圧した状態においては、押付け部材本体５１が押付け部材本体５１が相対的にコンタクトガラス２２から上方に向けて押圧され、これによって押付け部材本体５１は、押付けばね５３の付勢力に抗してカバー本体４０内に没入されるとともに、立設板６２３のストップ板６１２に対する当止が解消され、これによって付勢ばね６４の付勢力で後方に向かって移動した状態になっている。
【００５４】
以下、このように構成された原稿読取用カバー装置３０の作用について、図６および図７を基に説明する。図６は、原稿読取用カバー装置３０の作用を説明するための図３のＢ−Ｂ線断面図であり、（イ）は、原稿読取用カバー装置３０が開放された状態、（ロ）は、原稿読取用カバー装置３０が閉止された状態をそれぞれ示している。また、図７は、コンタクトガラス２２と押付け部材本体５１との相対的な位置関係を示す平面図であり、（イ）は、原稿読取用カバー装置３０が開放された状態、（ロ）は、原稿読取用カバー装置３０が閉止された状態をそれぞれ示している。
【００５５】
まず、図６の（イ）に示す状態においては、原稿読取用カバー装置３０のカバー本体４０が蝶板部材２５のヒンジ軸２５３回りに時計方向へ向けて回動されることにより、原稿読取用カバー装置３０の押付け部材本体５１がコンタクトガラス２２に対してフリーになり、これによって当該押付け部材本体５１は、第１筋交材６２の第１筋交材６２および第２筋交材６３の第２水平板６３１が前後の押付けばね５３の弾性力でそれぞれ下方へ押し付けられることにより、カバー本体４０から下方へ突出した状態になっている。
【００５６】
そして、この状態においては、第１筋交材６２の第１水平板６２１がストッパ６１の下部水平板６１１に当止するとともに、第２筋交材６３の第２水平板６３１がカバー本体４０の支持アングル材４５の下部水平板４５３に当止し、これによって押付け部材本体５１は、カバー本体４０に対し外れ止めされた状態になっている。
【００５７】
また、この状態では、図７の（イ）に示すように、平面視で押付け部材本体５１の左側の縦側板５１１は、コンタクトガラス２２の第２スケール２４２から右方に向けて若干離間しているとともに、後方の横側板５１２は、コンタクトガラス２２の第１スケール２４１から若干離間している。
【００５８】
この状態で、カバー本体４０の天板４２を上から押えると、原稿読取用カバー装置３０は、ヒンジ軸２５３回りに反時計方向に向けて回動し、これによって、図６の（ロ）に示すように、コンタクトガラス２２上に載置された原稿Ｐが原稿押えマット５２によってコンタクトガラス２２へ押し付けられることになる。
【００５９】
この状態においては、押付け部材本体５１は、コンタクトガラス２２から相対的に上方へ向かう力を受け、これによって押付けばね５３の弾性力に抗してカバー本体４０内に没入した状態になっているとともに、この没入によって第１筋交材６２の立設板６２３のストップ板６１２に対する当止が解消されるため、第１筋交材６２の前垂れ板６２２が付勢ばね６４の付勢力により基準隅部４６（図７）へ向けて付勢され、これによって押付け部材本体５１が基準隅部４６へ向けて移動した状態になっている。
【００６０】
そして、押付け部材本体５１の基準隅部４６へ向かう移動によって、図７の（ロ）に示すように、押付け部材本体５１の右側の縦側板５１１がコンタクトガラス２２の第２スケール２４２に当止するとともに、押付け部材本体５１の後方の横側板５１２がコンタクトガラス２２の第１スケール２４１に当止し、これによって押付け部材本体５１は、基準隅部４６を基準にして縦方向および横方向の双方で位置決めされることになる。
【００６１】
このように、押付け部材本体５１が基準隅部４６を基準にしてコンタクトガラス２２上の縦横で位置決めされると、押付け部材本体５１の左側の縦側板５１１と第２スケール２４２との間および押付け部材本体５１の後部の横側板５１２と第１スケール２４１との間に隙間が存在しない状態になるため、たとえ原稿Ｐが第１および第２スケール２４１，２４２から離間した状態でコンタクトガラス２２上に載置されていても、原稿Ｐの縁部と第１および第２スケール２４１，２４２との間に隙間が存在することで原稿Ｐの原稿面の画像読み取りで隙間部分が黒色として認識されてしまうような不都合の発生を確実に防止することができる。
【００６２】
ついで、図６の（ロ）に示す閉止状態の原稿読取用カバー装置３０を開放するに際しては、カバー本体４０の周壁４１の前面に凹設された取っ手凹部４１１（図２）に手を差し入れて当該原稿読取用カバー装置３０を上方へ持上げる。そうすると、カバー本体４０は、ヒンジ軸２５３回りに時計方向に回動し、これによって原稿押えマット５２のコンタクトガラス２２に対する当接状態が解消されるため、押付けばね５３の弾性力によって第１筋交材６２および第２筋交材６３を介して押圧されていた押付け部材本体５１は、カバー本体４０から外部に向けて突出することになる。
【００６３】
そして、この突出に際し、第１筋交材６２の立設板６２３は、その下端縁部がストッパ６１の傾斜縁面６１７に誘導され、基準隅部４６（図７）の対角位置に向けて移動し、その後下部水平板６１１上に位置した、図６の（イ）に示す状態に戻ることになる。
【００６４】
以上詳述したように、本発明に係る原稿読取用カバー装置３０は、複写機１０の装置本体２０の上面に設けられたコンタクトガラス２２上の原稿Ｐを押えるものであり、装置本体２０に設けられた蝶板部材２５のヒンジ軸２５３回りに回動するカバー本体４０と、カバー本体４０の裏面側に設けられ原稿Ｐをコンタクトガラス２２上に弾性的に押し付ける押付け部材５０とが備えられ、押付け部材５０は、平面寸法が第１スケール２４１と第２スケール２４２とを備えてなるスケール２４の内寸法より小さく寸法設定された押付け部材本体５１と、この押付け部材本体５１にコンタクトガラス２２へ向けて弾性力を付与する押付けばね５３とを備えて構成され、カバー本体４０が閉じられることにより押付け部材本体５１をカバー本体４０に対して移動させる移動構造６０が設けられてなるものである。
【００６５】
このように構成された原稿読取用カバー装置３０によれば、原稿Ｐをコンタクトガラス２２上に載置した状態で、カバー本体４０を閉じることにより、コンタクトガラス２２上の原稿Ｐは、カバー本体４０に設けられた押付けばね５３の弾性力が付与された状態の押付け部材本体５１によってコンタクトガラス２２上に押し付けられ、これによって原稿Ｐをコンタクトガラス２２に密着した状態にすることができる。
【００６６】
そして、カバー本体４０が閉じられるに際し、押付け部材５０のヒンジ軸２５３側の縁部がコンタクトガラス２２に当接した以降は、押付け部材５０が移動構造６０の作用によりカバー本体４０に対し移動するため、この移動方向をコンタクトガラス２２の縁部と押付け部材本体５１の縁部との間に形成される隙間を塞ぐ方向に設定しておくことにより、原稿読取用カバー装置３０が閉止された状態でたとえ原稿Ｐの縁部とコンタクトガラス２２の縁部との間に隙間が存在していても、この隙間は押付け部材本体５１によって塞がれた状態になるため、隙間の存在でこの部分が黒色として認識されて読み取られるような不都合の発生を防止することができる。
【００６７】
そして、本実施形態においては、原稿Ｐの一方の縁部と、この縁部に直交した他方の縁部との双方がコンタクトガラス２２の対応した縁部からそれぞれ離間して２個所に隙間が形成されていても、これら２個所の隙間は、押付け部材本体５１を横方向および縦方向の双方（すなわち斜めに）に移動させるように構成された移動構造６０の作用でいずれも押付け部材本体５１によって塞ぐことができる。
【００６８】
また、本実施形態においては、押付け部材本体５１は、カバー本体４０が閉じられることによるコンタクトガラス２２との干渉で押付けばね５３の弾性力に抗してカバー本体４０内へ没入した没入姿勢と、カバー本体４０が開かれることによる干渉の解消で押付けばね５３の弾性力によりカバー本体４０から突出した突出姿勢との間で姿勢変更可能に構成されているため、コンタクトガラス２２上に原稿Ｐを載置した状態で、カバー本体４０を閉止することにより、押付け部材本体５１は、コンタクトガラス２２と干渉することで押付けばね５３の弾性力に抗してカバー本体４０内に没入する没入姿勢に姿勢設定され、これによって原稿Ｐをコンタクトガラス２２に押し付けた状態になる一方、カバー本体４０を開放することにより、押付け部材本体５１は、押付けばね５３の弾性力によってカバー本体４０から外部に突出した突出姿勢に姿勢変更する。
【００６９】
そして、移動構造６０は、押付け部材本体５１をカバー本体４０に対し基準隅部４６に向けて付勢する付勢ばね６４と、この付勢ばね６４の付勢力に抗して押付け部材本体５１の移動を規制するストッパ６１とを備え、ストッパ６１は、押付け部材本体５１が没入姿勢に姿勢設定されることにより規制が解除されるように形状設定されているため、原稿Ｐをコンタクトガラス２２上に載置した状態で、カバー本体４０を閉止することにより、押付け部材本体５１は、ストッパ６１による規制が外れて付勢ばね６４の付勢力によりコンタクトガラス２２の端部に向けて移動し、これによって往々にして浮いた状態になり易い第１および第２スケール２４１，２４２側の原稿Ｐの縁部を、押付け部材本体５１によって確実にコンタクトガラス２２に押し付けられた状態にすることができる。
【００７０】
さらに本実施形態においては、コンタクトガラス２２は、装置本体２０の上面に設けられたスケール２４より低位となるように高さ設定されているため、カバー本体４０を閉止することにより、押付け部材本体５１がコンタクトガラス２２より上方に突出したスケール２４の縁部に当止し、これによって押付け部材本体５１の位置決めが行われるとともに、押付け部材本体５１とスケール２４との間の隙間が埋められ、隙間の存在で原稿Ｐがコンタクトガラス２２から浮き上がることがあるという不都合を確実に防止することができる。
【００７１】
そして、本発明に係る複写機１０は、このように構成された原稿読取用カバー装置３０が適用されてなるものであるため、かかる原稿読取用カバー装置３０が備えた作用効果を享受し得るものになる。
【００７２】
本発明は、上記の実施形態に限定されるものではなく、以下の内容をも包含するものである。
【００７３】
（１）上記の実施形態においては、原稿読取用カバー装置３０として原稿Ｐを手置き専用でコンタクトガラス２２上に供給するものを例に挙げて説明したが、本発明は、原稿読取用カバー装置３０が原稿手置き方式のものであることに限定されるものではなく、原稿トレイ上に載置された原稿束から１枚ずつの原稿を繰り出させて搬送ベルトでコンタクトガラス２２上に供給する、いわゆる自動原稿読取装置へも適用することが可能である。
【００７４】
（２）上記の実施形態においては、押付けばね５３および付勢ばね６４の双方に対して板ばねが採用されているが、本発明は、押付けばね５３および付勢ばね６４がいずれも板ばねであることに限定されるものではなく、いずれか一方あるいは双方にずコイルばねを採用してもよい。
【００７５】
（３）上記の実施形態においては、押付け部材本体５１が付勢ばね６４によって基準隅部４６へ向けて斜めに付勢されているが、本発明は、押付け部材本体５１が斜めに付勢されることに限定されるものでなく、第１および第２スケール２４１，２４２の内のいずれか一方側に向けてのみ付勢されるようにしてもよい。
【図面の簡単な説明】
【００７６】
【図１】本発明に係る原稿読取用のカバー装置が適用された複写機の一実施形態を示す斜視図であり、（イ）は、カバー装置が閉止された状態、（ロ）は、カバー装置が開放された状態をそれぞれ示している。
【図２】原稿読取用カバー装置の一実施形態を示す一部切り欠き分解斜視図でる。
【図３】図２に示す原稿読取用カバー装置の一部切り欠き組み立て斜視図である。
【図４】ストッパの一実施形態を示す斜視図であり、第１筋交材が当接された状態を示している。
【図５】ストッパと第１筋交材との位置関係を説明するための図４のＡ−Ａ線断面図であり、（イ）は、押付け部材がコンタクトガラスから離間した状態、（ロ）は、押付け部材がコンタクトガラスに当接した状態をそれぞれ示している。
【図６】原稿読取用カバー装置の作用を説明するための図３のＢ−Ｂ線断面図であり、（イ）は、原稿読取用カバー装置が開放された状態、（ロ）は、原稿読取用カバー装置が閉止された状態をそれぞれ示している。
【図７】コンタクトガラスと押付け部材本体との相対的な位置関係を示す平面図であり、（イ）は、原稿読取用カバー装置が開放された状態、（ロ）は、原稿読取用カバー装置が閉止された状態をそれぞれ示している。
【符号の説明】
【００７７】
１０  複写機                  ２０  装置本体
２１  上面板                  ２２  コンタクトガラス
２３  操作部                  ２４  スケール
２４１  第１スケール          ２４２  第２スケール
２５  蝶板部材                ２５１  ヒンジ受け
２５２  ヒンジ                ２５３  ヒンジ軸
３０  原稿読取用カバー装置    ４０  カバー本体
４１  周壁                    ４１１  取っ手凹部
４２  天板                    ４２１  貫通孔
４３  額縁板                  ４３１  装着窓
４４  衝立板                  ４４１  隙間
４５  支持アングル材          ４５１  垂直板
４５２  上部水平板            ４５３  下部水平板
４５４  隙間                  ４６  基準隅部
５０  押付け部材              ５１  押付け部材本体
５１１  縦側板                ５１２  横側板
５２  原稿押えマット          ５３  押付けばね（弾性部材）
５３１  基端部                ５３２  先端部
６０  移動構造                ６１  ストッパ
６１１  下部水平板            ６１２  ストップ板
６１３  中間水平板            ６１４  垂直板
６１５  上部水平板            ６１６  ねじ孔
６１７  傾斜縁面              ６２  第１筋交材
６２１  第１水平板            ６２２  前垂れ板
６２３  立設板                ６３  第２筋交材
６３１  架設ロッド            ６３２  後垂れ板
６４  付勢ばね                Ｐ  原稿
【図１】
2006101411.tif 000003
【図２】
2006101411.tif 000004
【図３】
2006101411.tif 000005
【図４】
2006101411.tif 000006
【図５】
2006101411.tif 000007
【図６】
2006101411.tif 000008
【図７】
2006101411.tif 000009